(57)【特許請求の範囲】
【請求項１】
テレビジョン・プログラムの視聴およびレコーディングを選択的に制御する、制御装置を含む装置における方法であって、
前記制御装置が、管理者によって設定されるプログラム・レーティング、支払い、チャンネル、視聴時間制限、一日のうちの時間、プログラムに埋め込まれた画像コンテンツ・レーティングからなる群から選択された制限に基づいて対応する視聴者から画像をブロックするための少なくとも１つの視聴者プロファイルを設定するステップと、
前記制御装置が、前記制限のうちの選択されたものを変更するために前記少なくとも１つの視聴者プロファイルに適用可能なオーバーライド指令を含む少なくとも１つのオーバーライドのリストを作成するステップと、
前記制御装置が、オーバーライド指令間の競合の存在がある場合に、制限が最も厳しいモードにおいて少なくとも１つのアクティブなオーバーライドがある場合には前記画像をブロックし、制限が最も緩いモードにおいて少なくとも１つのアクティブではないオーバーライドがある場合には、前記画像をブロックしないようにして、自動的にオーバーライド指令間の競合を解消するステップと、
を含む、前記方法。
【請求項２】
ビデオ画像の視聴を制御する、制御装置を含む装置における方法であって、
前記制御装置が、少なくとも１人の視聴者に対する表示用のビデオ画像を提供するように、表示装置にビデオ処理回路を結合するステップと、
前記制御装置が、対応する視聴者プロファイルに従って視聴者に対して前記ビデオ画像の少なくとも一部が表示されるのをブロックするための親用の制御回路を提供するステップと、
前記制御装置が、選択されたブロックされたビデオ画像をブロック解除するために、前記ビデオ処理回路に適用可能なオーバーライド指令からなる少なくとも１つのオーバーライドのリストを作成するステップと、
前記制御装置が、オーバーライド指令間の競合の存在がある場合に、制限が最も厳しいモードにおいて少なくとも１つのアクティブなオーバーライドがある場合には前記画像をブロックし、制限が最も緩いモードにおいて少なくとも１つのアクティブではないオーバーライドがある場合には、前記画像をブロックしないようにして、自動的にオーバーライド指令間の競合を解消するステップと、
を含む、前記方法。
【請求項３】
テレビジョン・プログラムの視聴およびレコーディングを選択的に制御するシステムであって、
一組の制限を設定して前記制限の範囲を外れた画像の視聴をブロックする少なくとも１つの視聴者プロファイルと、
管理者によって設定されるプログラム・レーティング、支払い、チャンネル、視聴時間制限、一日のうちの時間の制限、プログラムに埋め込まれた画像コンテンツ・レーティングからなる群から選択される少なくとも１つの制限と、
前記制限のうちの少なくとも１つをオーバーライドするための前記少なくとも１つの視聴者プロファイルに適用可能な少なくとも１つのオーバーライド指令を含む少なくとも１つのオーバーライドのリストと、
オーバーライド指令間の競合の存在があり、制限が最も厳しいモードにおいて少なくとも１つのアクティブなオーバーライドがある場合には前記画像をブロックし、制限が最も緩いモードにおいて少なくとも１つのアクティブではないオーバーライドがある場合には、前記画像をブロックしないようにして、自動的に前記オーバーライド指令間の競合を解決する競合リゾルバと、
を含む、前記システム。
【請求項４】
前記競合リゾルバは、制限が最も厳しい動作モードと制限が最も緩い動作モードとの間で切り換え可能である、請求項３記載のシステム。
【請求項５】
少なくとも１つの画像のブロッキング状態を視聴者に表示する手段を含む、請求項３記載のシステム。
【請求項６】
テレビジョン受信機、ケーブル・ボックス、およびビデオ・カセット・レコーダ（ＶＣＲ）・チューナからなる群から選択された少なくとも１つの装置を含む、請求項３記載のシステム。
【請求項７】
テレビジョン・プログラムの視聴およびレコーディングを選択的に制御するシステムであって、
管理者によって設定されるプログラム・レーティング、支払い、チャンネル、視聴時間制限、一日のうちの時間の制限、プログラムに埋め込まれた画像コンテンツ・レーティングからなるリストから選択される一組の制限を設定して前記制限の範囲を外れた画像の対応する視聴者による視聴をブロックする少なくとも１つの視聴者プロファイルと、
前記制限のうちの少なくとも１つを変更するために前記少なくとも１つの視聴者プロファイルに適用可能なオーバーライド指令を含む少なくとも１つのオーバーライドのリストと、
オーバーライド指令間の競合の存在があり、制限が最も厳しいモードにおいて少なくとも１つのアクティブなオーバーライドがある場合には前記画像をブロックし、制限が最も緩いモードにおいて少なくとも１つのアクティブではないオーバーライドがある場合には、前記画像をブロックしないようにして、自動的に前記オーバーライド指令間の競合を解決する競合リゾルバと、
を含む、前記システム。
【請求項８】
前記競合リゾルバは、制限が最も緩い動作モードと制限が最も厳しい動作モードとの間で切り換え可能であることを特徴とする請求項７記載のシステム。
【請求項９】
前記プロファイルに従って、前記画像は、プログラム、チャンネル、プログラム・レーティング、シーン・レーティング、支払い制限、時間制限、および期間からなる群に基づいてブロックされる、請求項７記載のシステム。
【請求項１０】
前記オーバーライドのリストに従って、前記画像は、プログラム、チャンネル、プログラム・レーティング、シーン・レーティング、支払い制限、時間制限、および期間からなる群に基づいてブロック解除される、請求項７記載のシステム。
【請求項１１】
視聴またはレコーディングされる画像を発生させるために表示装置に結合されるのに適した出力信号を発生させるビデオ信号処理装置と、
前記ビデオ信号処理装置に結合され、前記画像を管理者によって設定されたプロファイルに従ってブロックするブロッキング・システムと、
を含み、
前記ブロッキング・システムは、
前記プロファイルに従ってブロックされる画像が前記オーバーライドのリストに従ってブロック解除されるように前記プロファイルに適用可能な少なくとも１つのオーバーライドのリストと、
オーバーライド指令間の競合の存在があり、制限が最も厳しいモードにおいて少なくとも１つのアクティブなオーバーライドがある場合には前記画像をブロックし、制限が最も緩いモードにおいて少なくとも１つのアクティブではないオーバーライドがある場合には、前記画像をブロックしないようにして、自動的に前記オーバーライド指令間の競合を解決する競合リゾルバと、
を含む、前記システム。
【発明の詳細な説明】
【０００１】
（発明の分野）
この発明は、管理者が設定したレーティング制限、料金支払い制限、視聴時間制限、或いは、その他の視聴制限を超えたテレビジョン・プログラムの視聴またはレコーディングをブロック（ｂｌｏｃｋ：阻止、遮断）するシステムに関する。
【０００２】
（発明の背景）
管理者が設定したレベルに満たないレーティング（ｒａｔｉｎｇ：児童保護向けコンテンツ格付け）情報を含むプログラムの視聴を防止し、または、ペイ・パー・ビュー方式（ｐａｙ−ｐｅｒ−ｖｉｅｗ  ｓｙｓｔｅｍ：視聴した分だけ課金される方式）の料金支払い制限を超えることを防止するように設計された回路とソフトウェアとが組み込まれており、映像管のような表示装置に接続されるのに適したテレビジョン・セット、ビデオ・カセット・レコーダ、或いは、ケーブル・ボックスに搭載されるテレビジョン・チューナのようなビデオ信号処理システムは、非常によく知られている。このプログラム済みプロセッサによって、パスワードを知る管理者（ｓｕｐｅｒｖｉｓｏｒ）、通常、子供の親は制限を設定することができ、被管理者、例えば、子供は、その制限を超えて、或いは、その制限の範囲外で放送を視聴することが出来ない。
【０００３】
このような制限を設けることが可能な装置或いはシステムによって、管理者は、プログラム（番組）および／またはシーン（場面）のコンテンツ（内容）に基づいて、購読料金に基づいて、或いは、例えば１日のような或る期間についての視聴時間の合計に基づいて、そのプログラムおよび／またはシーンが視聴されることを防止することが出来る。例えば、親は、暴力的な主題を扱うプログラムおよび／またはシーンが除外されるように設定できる。また、管理者は、例えばＰＧ―１３のようなレーティング制限を指定して、その制限を超えるプログラムおよびシーン（例えば、ＲレートおよびＸレートのプログラム）を視聴不可能に出来る。また、管理者は、ペイ・パー・ビューの使用を制限したり、或いは、ペイ・パー・ビューの料金支払い制限を設定したり出来る。また、管理者は、１日の最長視聴時間も設定できる。レーティング、料金支払い、および、視聴時間は、１つのプロファイル（ｐｒｏｆｉｌｅ）内で選択でき、そのプロファイルには、例えば、ユーザの名前、或いは、「子供」のような識別子も入れることが出来る。状況に応じて、１つまたはそれ以上のプロファイルを設定して、例えば、２番目のプロファイルは「親」用、３番目のプロファイルは「ベビー・シッター」用等にすることが出来る。各プロファイルには、異なるレーティング制限、ペイ・パー・ビューの料金支払い制限、および、視聴時間制限を設定することができ、その特定のプロファイルに指定された人だけがそのプロファイルにアクセスできる。例えば、親用のプロファイルは、パスワードによってプロテクトされているため、子供が使用することは出来ない。
【０００４】
「ストリッパ（ｓｔｒｉｐｐｅｒ）」（即ち、デコーダ）を搭載するテレビジョン受像機は、プログラム信号の補助情報成分（例えば、米国内のＮＴＳＣ方式のテレビジョン信号内の拡張データ・サービス（Ｅｘｔｅｎｄｅｄ  Ｄａｔａ  Ｓｅｒｖｉｃｅｓ：ＸＤＳ）のデータ、或いは、ＡＴＳＣ方式のテレビジョン信号内のＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ：プログラムおよびシステム情報プロトコル）のデータ）内に含まれるプログラム・コンテンツ情報を復号することによって、テレビジョンのプログラムおよびシーンのコンテンツとレーティングを特定するための情報を、例えば米国内のＮＴＳＣ方式のテレビジョン信号の垂直消去期間（Ｖｅｒｔｉｃａｌ  Ｂｌａｎｋｉｎｇ  Ｉｎｔｅｒｖａｌ：ＶＢＩ）から、「スライス（ｓｌｉｃｅ）する」（即ち、抽出する）ことができ、そのコンテンツとレーティングを管理者が設定した制限事項と比較することが出来る。その他のデータ、例えば、料金支払いデータ、或いは、視聴時間制限のようなデータは、その他の方法によって、例えば、システムのクロックを使用して経過したアクティブの視聴時間を計算することによって得られる。
【０００５】
このプロセッサは、プログラムについてのレーティング情報、或いは、その他の情報が管理者によって設定された制限を超える時に、スクリーンを見えなくし、且つ、その放送の音声部分をミュートするように設計されている。多画面表示機能も有するテレビジョン受像機は、主画面と補助画面の両方を表示している時、主画面と補助画面の両方に対して、管理者制御を行う。また、テレビジョン受信機は、受信が中断された理由とその予想される中断時間とを示すメッセージ（例えば、「このシーンは、コンテンツ制限を超えています」等）を表示することができる。
【０００６】
管理者は、レーティング制限、視聴時間制限、または、料金支払い制限を一時的に変更したい場合、或いは、特定のテレビジョン放送の視聴を許可したい場合、レーティング制限をリセットして、その後、忘れずに元の制限に戻す必要がある。元の制限に設定し直さねばならないのは面倒であるため、本願の発明者は、通常の制限を一時的にオーバーライドする（ｏｖｅｒｒｉｄｅ：無効にする、撤回する、または、指定変更する）システムを創案した。そのシステムは、出願日が本願と同じである同時係属特許出願（発明の名称「一時的オーバーライド機能を有するレーティング制御システム（ＲＡＴＩＮＧＳ  ＣＯＮＴＲＯＬ  ＳＹＳＴＥＭ  ＷＩＴＨ  ＴＥＭＰＯＲＡＲＹ  ＯＶＥＲＲＩＤＥ  ＣＡＰＡＢＩＬＩＴＹ）」、整理番号ＲＣＡ８９３８５）の明細書に開示されている。これ以下、その発明を「オーバーライド発明（Ｏｖｅｒｒｉｄｅ  Ｉｎｖｅｎｔｉｏｎ）」と呼ぶ。この「オーバーライド発明」は、表示装置に供給して映像を表示するのに適した出力信号を生成する、例えば、テレビジョン受像機、ケーブル・ボックス、或いは、ＶＣＲのチューナのようなビデオ信号処理システムを提供する。このビデオ信号処理システムは、管理者が選択した範囲を外れたレーティング情報、料金支払い情報、および／または、視聴時間が共に組み込まれた受信プログラムの視聴を阻止し、また、管理者が一時的な変更範囲を入力できるようにし、或いは、特定のプログラムを視聴できるようにする。また、このビデオ信号処理システムは、一時的オーバーライドの終了時に自動的に通常の制限に戻す。
【０００７】
「オーバーライド発明」に従って管理者が行う通常の視聴制限のオーバーライドには、幾通りかの態様がある。例えば、指定した一時的な期間についてレーティング制限を変更することによるオーバーライド、１つの放送プログラムに対するオーバーライド、定期的な特定の時間についてのオーバーライド、特定の日について通常の制限を超える料金支払いを許可するオーバーライド、および、被管理者がテレビジョンを別の時間制限で視聴できるようにするオーバーライド等がある。ここで、２つ以上のオーバーライド・オプションを選択すると、システムに競合（ｃｏｎｆｌｉｃｔ）の生じる可能性がある。
【０００８】
（発明の概要）
本願発明には、表示装置に供給して映像を表示するのに適した出力信号を生成するビデオ信号処理システムが含まれる。このビデオ信号処理システムは、管理者制御システムを有する。この管理者制御システムによって、管理者は、レーティング制限、料金支払い制限、および／または、視聴時間制限を入力して、それらの制限を超えるプログラム全ての視聴を阻止することが出来る。また、この管理者制御システムによって、管理者は、特定のプログラムを視聴できるようにそのような制限を一時的にオーバーライドすること、レーティング制限を一時的に変更すること、料金支払い制限を一時的に変更すること、および／または、視聴時間制限を一時的に変更することが出来る。このシステムは、一時的に変更された制限の継続時間とそのパラメータの範囲内でプログラムの視聴を許可し、そして、オーバーライドの終了時に自動的にレーティング制限、料金支払い制限、および／または、視聴時間制限を通常のものに戻す。システムに２つ以上のアクティブのオーバーライドが入力された場合、この発明は、管理者の選択かシステムのデフォルト（ｄｅｆａｕｌｔ）のどちらかに応じて、互いに競合するオーバーライドのうち制限が最も厳しいものか最も緩いもののどちらかに従って、それらのオーバーライド間の競合を解消する。
【０００９】
「オーバーライド発明」の場合と同様に、管理者用パスワードを知らない子供やその他の人は、各プロファイルを変更できないし、一時的に阻止をオーバーライドすることも出来ず、一方、制御システムに受け取られたパスワードを知る管理者は、オーバーライド・システムを開始して、（Ａ）１つまたはそれ以上の阻止状態を解除すべき特定の放送プログラム、（Ｂ）１つまたはそれ以上の特定の期間に阻止状態を解除すべき１つまたはそれ以上のチャンネル、（Ｃ）特定の期間についての変更レーティング・プロファイル、（Ｄ）変更料金支払い制限、および／または、（Ｅ）変更視聴時間制限を入力できる。また、「オーバーライド発明」の場合と同様に、オーバーライドの制限事項は、アクティブのオーバーライドのリストに表示されることが望ましい。オーバーライドのリストは、期間が終了するまで、画面に表示して見ることが出来る。オーバーライドの期間は、管理者が設定するか、或いは、プロセッサによって、特定のプログラムが放送される予定の時間から、導き出される。
【００１０】
また、プロセッサは、阻止状態を解除したプログラムまたはチャンネルとそれに対応する期間とを表す状態リスティング（ｓｔａｔｕｓ  ｌｉｓｔｉｎｇ：状態表）を表示するか、或いは、各プロファイルについて残りの料金支払い許可の状態を表示するようにプログラムされていることが望ましい。
【００１１】
本願発明に従えば、システムのデフォルト（ｄｅｆａｕｌｔ）は、製造業者がプリセットして（前もって設定して）、互いに競合するオーバーライド指令間の競合を、制限が最も厳しい指令か最も緩い指令かのどちらかに従うことによって、解消するようにしてもよい。しかし、管理者が、競合解消のデフォルトの変更を選択して、互いに競合するオーバーライド指令のうちの制限が最も緩いものか最も厳しいものかのどちらかを行うことが出来るメニュー・オプションを提供することが望ましい。
【００１２】
本願発明の別の一形態には、レーティング制御システムが含まれる。このシステムは、管理者が選択した範囲から外れたレーティング情報または料金支払い情報と共に放送されるプログラムを阻止する。また、このシステムは、管理者がパスワードを入力して、通常のレーティング制御範囲、或いは、通常の料金支払い制限が一時的に変更されるプログラム、チャンネル、および、期間を選択し、および／または、その変更の総合期間を選択することが出来る。また、このシステムは、選択された期間の終了時、或いは、選択されたプログラムの終了時にレーティング制御範囲を自動的に通常のものに戻す。また、このシステムは、制限が最も厳しいオーバーライド指令か最も緩いオーバーライド指令かのどちらかのプリセットされた競合解消モードに従って、複数のオーバーライド指令間の競合を解消する。管理者が、２つのモード、即ち、制限が最も厳しいモードと最も緩いモードとを切換えることによって、競合解消モードを変更できることが望ましい。
【００１３】
本願発明の更に別の一形態には、プロセッサが含まれる。このプロセッサは、管理者が入力した制限の範囲を外れたプログラム或いはレコーディング（レコーディングされたもの）の視聴を、通常、阻止し、管理者が一時的オーバーライド指令を入力した場合、それに従ってプログラムの視聴を許可する、或いは、禁止する。また、このプロセッサは、管理者が設定した期間の終了後、或いは、管理者がオーバーライドを取り消した時、或いは、一時的オーバーライドの指令で許可されたプログラム或いはレコーディング（レコーディングされたもの）の終了後、阻止プロファイルを通常のものに戻す。また、このプロセッサは、制限が最も厳しいオーバーライドか最も緩いオーバーライドのどちらかのプリセットされたモードに従って、２つまたはそれ以上の互いに競合するオーバーライド指令間の競合を解消する。
【００１４】
全てのアクティブのオーバーライドを表にした表示画面ガイドがユーザ・インタフェースに含まれることが望ましい。オーバーライドが互いに競合する場合、上記表示画面ガイドは、その競合を表示するか、或いは、自動的にその競合を解消することができ、その際、実行されていないオーバーライドは表示しないようにすることが出来る。
【００１５】
（発明の実施の形態）
以下、この発明を推奨実施例について説明するが、この発明は、この推奨実施例に限定されるものではない。例えば、以下、テレビジョン受像機について説明するが、この発明は、その他のタイプのビデオ処理システム、例えば、テレビジョン・セットのような表示装置を持つものにも、直接衛星放送（Ｄｉｒｅｃｔ  Ｂｒｏａｄｃａｓｔ  Ｓａｔｅｌｌｉｔｅ：ＤＢＳ）信号受信機やビデオ・レコーダ（例えば、ＶＣＲ）のような表示装置を持たないものにも適応できる。一般に、この発明は、ビデオ放送、オーディオ放送、ビデオ・レコーディング（ｖｉｄｅｏ  ｒｅｃｏｒｄｉｎｇ：映像と音声、または、映像のみを記録したもの）、或いは、オーディオ・レコーディング（ａｕｄｉｏ  ｒｅｃｏｒｄｉｎｇ：音声を記録したもの）へのアクセスを許可する、或いは、禁止するレーティング制御、料金支払い制限、或いは、その他の基準を設定するシステム、装置、および、機器にも適合するものである。
【００１６】
図１は、１つのプロファイルが、システムに於いて、アクティブ（ａｃｔｉｖｅ：活動状態）である場合を示している。この図１のブロック図に示すように、先ず、標準視聴可能検査（ｓｔａｎｄａｒｄ  ｖｉｅｗａｂｌｅ  ｔｅｓｔ）１１がプロセッサによって実行され、プログラムが視聴可能（１５）か、或いは、視聴不可（１７）かが判断される（１２）。この際、プロセッサは、現在のイベント（ｅｖｅｎｔ）情報１３と、管理者によって予め入力されている現在のユーザのレーティングのプロファイル１４とを受け取る。
【００１７】
次に、オーバーライドの競合がどのように起きるかについての具体例を述べる。パスワードを有するシステムの管理者が、或る１時間のプログラムを子供が視聴することを許可したい場合、且つ、そのプログラムのレーティングが既定の制限より高い場合、管理者は、「オーバーライド」を選択し、オーバーライド・リスト１６にオーバーライドを入れるのに必要な正しいパスワードを入力する。管理者は、システムがプロファイルの変更を認めると、プログラム、開始と停止の時間、および、プロファイルを識別（ｉｄｅｎｔｉｆｙ）する。一方、この例に於いて、管理者は、通常の視聴時間制限をオーバーライドして、一時的に、平日３時間までの視聴を許可したいので、表示画面を介してメニューを選択して視聴時間制限をオーバーライドする。この競合例に於いて、上記特別に許可された１時間のプログラムの放送が始まろうする時点で、視聴者は、オーバーライドした視聴時間制限３時間の内、既に２時間半を使用している。この時、システムに於いて、上記１時間のプログラムの視聴と、視聴時間制限オーバーライドに従う残り３０分の視聴時間との間で競合が起きる。
【００１８】
図１に示すオーバーライド検査ロジック（ｌｏｇｉｃ：論理）１８は、オーバーライド・リスト１６内の情報を使用して、オーバーライド・リスト１６とオーバーライド検査Ａ（１９）またはオーバーライド検査Ｂ（２０）を適用するようにプログラムされている。この際、オーバーライド検査Ａ（１９）は、標準視聴可能検査１１が視聴を許可した場合（１５）に適用され、オーバーライド検査Ｂ（２０）は、標準視聴可能検査１１が視聴を許可しない場合（１７）に適用される。図２に、オーバーライド検査Ａの詳細を示す。検査Ａと検査Ｂに於いては、図２に示す複数オーバーライド競合解消ルーチンが実行される。図２に於いて、システムのプロセッサは、先ず、どちらのモードがアクティブであるか、即ち、制限が最も緩いモード（２２）と最も厳しいモード（２３）のどちらがアクティブであるかをチェックする。
【００１９】
仮に、システムのデフォルトか、或いは、管理者の選択かのどちらかによって、制限が最も緩いモードがアクティブであるとすると、システムのロジック（ｌｏｇｉｃ：論理）は、先ず、オーバーライドがアクティブであるか否かをチェックする。アクティブでない場合（「ＮＯ（いいえ）」の場合）（２５）、阻止は行われない。アクティブである場合（「ＹＥＳ（はい）」の場合）（２６）、システムは、別の適合オーバーライドが存在するかをチェックする（２７）。もし、存在する場合、それを「ゲット（ｇｅｔ）」する（取る）（２８）。もし、存在しない場合（２９）、プログラムの視聴を阻止する（３０）。
【００２０】
図３には、正しいパスワードを入力した管理者のコマンドによって表示される画面の例が示されている。この表示画面には、特定の時間に放送されるプログラムのリストが含まれており、このリストには、チャンネル、システム、プログラム情報、開始時間、停止時間、および、状態が表示されている。このリストで、「アクティブ」は、現在視聴されているプログラムを示している。また、「ランニング」は、個別に許可されたプログラムを示している。また、「ポーズ」は、個別に禁止されたプログラムを示している。「オーバーライド・パラメータ」のリストには、「レーティング」、「コンテンツ情報」、「料金支払い」、「視聴時間」、「チャンネル・リスト」および「プロファイル」について、現在設定されている制限事項が表示されている。管理者は、例えば、リモートコントローラの「チャンネル・アップ」キーと「チャンネル・ダウン」キーとを使用して、カーソルを移動して各々のパラメータに合わせて、そのパラメータを変更できる。図３の「現在のオーバーライド・モード」は、「最高制限」と表示されているが、これは、システムが、１つの特定のプログラムに対して適用された２つ以上の異なるオーバーライド・パラメータの間で競合が生じた場合に、制限が最も厳しいパラメータを採用する、即ち、視聴を禁止するパラメータであり、視聴を許可するオーバーライドに従わないパラメータを採用するように設定されていることを示している。管理者は、「現在のオーバーライド・モード」を「最低制限」に切換えてもよい。その結果、システムは、各オーバーライド・パラメータの何れの範囲内に在るプログラムでも、その視聴を許可する。
【図面の簡単な説明】
【図１】  本願発明の基礎になった前記同時係属特許出願（整理番号ＲＣＡ８９３８５）に開示されている発明の推奨システムをブロック図の形式で示す図である。
【図２】  オーバーライド・リストの競合解消ロジックをブロック図の形式で示す図である。
【図３】  複数オーバーライド競合解消機能を含むオーバーライド・メニューの表示画面の例を示す図である。
【図１】
0005183004.tif 000002
【図２】
0005183004.tif 000003
【図３】
0005183004.tif 000004